(57)【要約】【課題】管路内面曲折対応型更生材を提供する。【解決手段】管路内面更生装置の加圧手段の外周に巻き付け或いは載置し、管路内面に圧着、硬化させて管路内面の損傷を更生する更生材であって、該更生材が樹脂バインダーを含浸させた１枚以上の不織布或いは織布からなり、該更生材の長手方向に折り込みを入れたものからなり、該折り込みが内側に折り込んだ二つ以上のボックスプリーツを有する円筒状のものである管路内面更生材であって、この更生材は曲折した管路内面に対応して隙間なく密着して固着する。【選択図】図１
2004034369.tif 000002
【特許請求の範囲】
【請求項１】
管路内面更生装置の加圧手段の外周に巻き付け或いは載置し、管路内面に圧着、硬化させて管路内面の損傷を更生する更生材であって、該更生材が樹脂バインダーを含浸させた１枚以上の不織布或いは織布からなり、該更生材の長手方向に折り込みを入れたものからなり、該折り込みが内側に折り込んだ二つ以上のボックスプリーツを有する円筒状のものである管路内面更生材。
【請求項２】
折り込みの先端部を切れる糸又はテープで押さえられてなる請求項１記載の管路内面更生材。
【請求項３】
ボックスプリーツ内に合成樹脂製メッシュを入れたものからなる請求項１記載の管路内面更生材。
【発明の詳細な説明】
【０００１】
【発明の属する技術分野】
本発明は管路内に発生した亀裂や孔等の損傷を管路内面から更生する装置に用いる更生材に関する。
【０００２】
【従来の技術】
地中に埋設されている電線管や下水管等に亀裂や孔等が発生した場合に最近では管路内面からの更生技術が開発されている。その一例として図５に示すように、両端が閉塞されている円筒体２１の両端の円周に円筒状の滑走用材２４を設けたものを管路２９内に挿入する。そのゴム管の両端は緊締具２５により円筒体２１に緊締固定してある。このゴム管２２の外側に硬化性樹脂バインダーを含浸させた更生材２３を緩く巻き付けてある。この装置を管路２９の欠陥箇所まで押し込む。そのとき、牽引用ロープの一端を円筒体前端部２６の牽引用環体２８に取り付け、エアホース２７で所要圧のエアーを供給してゴム管２２を管路２９の内面に接触して内面を加圧するように膨らませると、外側に巻き付けられている更生材２３はゴム管１３により管路２９の内面に押し付けられて密着する。なお図６は従来の管路更生装置のホイルチューブの一部欠截断面図である。この方法を一般的にＥＰＲ（Ｅｎｇｉｎｅｅｒｉｎｇ　Ｐｌａｓｔｉｃ　Ｐｉｐｅ　Ｒｅｐａｉｒ）工法と呼んでいる。
従来用いられている更生材はガラス繊維、炭素繊維、アラミド繊維等からなるクロスの積層物に硬化性樹脂を含浸したものである。
【０００３】
【発明が解決しようとする課題】
従来より更生材は硬化性樹脂バインダーを含浸したガラス繊維等の積層物を管路更生装置のゴム管に巻き付けこれを管路内面に圧着固定するものであるが、単なる積層物では曲折のない管路内面への圧着には何ら問題はないが、曲折した管路内面の圧着には問題があり、更生材が該管路内面に隙間なく密着し、圧着固定されるものではなかった。
【０００４】
【課題を解決するための手段】
本発明者は前記の課題を解決すべく、鋭意検討の結果、樹脂バインダーを含浸した１枚以上の不織布或いは織布を長手方向に内側に折り込んだ二つ以上のボックスプリーツの折り込みを有する円筒状の更生材が曲折した管路内面に隙間なく、密着し、仕上がりよく圧着固定できることを見出し、本願発明に到達したものである。
即ち、本発明は（１）管路内面更生装置の加圧手段の外周に巻き付け或いは載置し、管路内面に圧着、硬化させて管路内面の損傷を更生する更生材であって、該更生材が樹脂バインダーを含浸させた１枚以上の不織布或いは織布からなり、該更生材の長手方向に折り込みを入れたものからなり、該折り込みが内側に折り込んだ二つ以上のボックスプリーツを有する円筒状のものである管路内面更生材、（２）折り込みの先端部を切れる糸又はテープで押さえられてなる（１）記載の管路内面更生材、（３）ボックスプリーツ内に合成樹脂製メッシュを入れたものからなる（１）記載の管路内面更生材、に関する。
【０００５】
本発明の管路内面更生材は、硬化性樹脂バインダーを含浸した１枚以上の織布或いは不織布からなるシート或いは積層シートを長手方向に折り込みを入れたものであって、折り込みが内側に折り込んだ二つ以上のボックスプリーツを有する円筒状の更生材、例えば加圧手段のゴム管の外周全体に嵌めて用いる更生材である。この内側に二つ以上のボックスプリーツに折り込まれた円筒状の更生材を管路内面更生装置の加圧手段（ゴム管又はプラスチック管）の外周に装着し、該加圧手段を膨らませて管路内面の損傷部に押圧すると管路が曲折している場所では、更生材の折り込みが開放されて開き、曲折部にスムーズに適応し、隙間なく押圧密着され、従来の更生材料が管路内面の曲折により引き伸ばされて強度不足を発生させたり、隙間を発生させる事もなく、又更生材の裂け目（或いは割れ目）が見えたり、位置が一定せず、ずれるという問題もなく、その損傷部に適確に更生材が圧着され適正な強度の更生がなされるものである。
【０００６】
【発明の実施の形態】
図１は本発明の内側に折り込んだ二つのボックスプリーツを有する円筒状の管路内面更生材の斜視模式図である。円筒状の更生材１は折り目ｃとｃ’及びｃ’’とｃ’’’で内側にボックスプリーツに折り込まれ、更生材１の外周部１’の下層部１’’及び上層部１’’’として折り畳まれたものからなるものである。又図２は本発明の内側に折り込んだ二つのボックスプリーツの中に補強支持体２を嵌め込んだ管路内面更生材の斜視模式図である。この補強支持体２は合成樹脂製メッシュが用いられる。
更生材１は折り目ｃとｃ’及びｃ’’とｃ’’’の点で加圧により切れて開放される糸、又は加圧により開放される接着テープ或いは接着剤により止めてある。この本発明の更生材は平坦な状態で保管、保存される。又この平坦な状態で管路内面更生装置の加圧手段例えばゴム管、プラスチック管等の外周に巻き付け或いは載置し、該加圧手段であるゴム管又プラスチック管を膨らませて管路内面の損傷場所に押圧される。その際、管路内面が曲折したものであるときは、その曲折場所で更生材の折り込みが開き曲折にそって密着でき、損傷部分を完全に被覆し、密着し、更生されるのである。そして、その特長は管路内面の曲折の上下左右何れにも対応でき、又曲折箇所が何か所あっても密着が可能な事である。更に本発明の更生材は折り込みが内側に折り込んだボックスプリーツであるため、折り込みの割れ目（或いは裂け目）ｃ、ｃ’及びｃ’’及びｃ’’’が更生材１のｃ、ｃ’の下層部１’’及びｃ’’、ｃ’’’の上層部１’’’によりそれぞれ被覆されるものとなるので割れ目や裂け目の見えない見映えの良いものとなる。
図２に示される更生材における内側に折り込まれたボックスプリーツ中に嵌め込まれる補強支持体２は合成樹脂製メッシュである。例えばナイロンメッシュのものが用いられる。これにより更生材のプリーツ部の型状安定性が保たれ該更生材を損傷部に適確に被覆圧着できると共に強度の大きい被覆補修が可能となる。
図３は本発明の内側に折り込んだ二つのボックスプリーツを有する円筒状の管路内面更生材を使用して、曲折した管路１９の内面を更生した模式図である。本発明の更生材を使用すると管路内面の曲折部に隙間なく密着し、割れ目や裂け目の見えない仕上がりの良いものとなる。
本発明の更生材の織布或いは不織布の素材はガラス繊維、炭素繊維、アラミド繊維等からなる。本発明の更生材はこれら織布或いは不織布の１枚以上の積層物からなるものである。
織布或いは不織布からなる積層物は樹脂バインダーで含浸される。樹脂バインダーとしては不飽和ポリエステル樹脂、エポキシ樹脂、エマルジョン系樹脂等エンジニアプラスチック樹脂である樹脂バインダー、特に水路での固着には水中硬化性樹脂バインダー等、熱硬化性、或いは光硬化性樹脂、その他熱可塑性樹脂からなる樹脂バインダーが用いられる。　又、更生材の押さえ具として使用する不織布又は織布の素材は切断可能なものであれば何れでもよいが、ポリエステル、ポリアミド等の樹脂、パルプ（和紙）からなるものである。
図４に示すものは、本発明で使用する管路内面更生装置の一つであり、その両端が閉塞され、その一端に空気注入口４を有する合成ゴム製、プラスチック製又はシリコン製本体チューブ３からなるものである。なおゴム製又はプラスチック製本体チューブの外表面は離型材で覆うこともできる。該ゴム製、プラスチック製又はシリコン製本体チューブの表面に更生材が載置又は巻き付けられる。該合成ゴム製、プラスチック製又はシリコン製の本体チューブ３は一定の適宜の長さを有し、管路の状況に応じて選択される。該チューブの径は管路内面の径と同一であることができる。該合成ゴム製本体チューブ３の合成ゴムとしては耐蝕性合成ゴムが用いられ、超高分子ポリエチレン（ハイパロン、デュポン社製）、クロロスルホン化ポリエチレン（ＣＳＭ）、合成シリコンゴムが好ましく用いられ、又プラスチック製本体チューブのプラスチックは各種合成プラスチックが用いられ、ポリエチレン、ポリ塩化ビニル、ポリエステル等を用いることができる。
【０００７】
【実施例】
以下に実施例で説明するが、本発明はこれらのものに限定されるものではない。
実施例１
ガラス繊維−炭素繊維−アラミド繊維の各不織布の積層物の直径１００ｍｍの円周の円筒状の更生材１を図１に示すように、ｃとｃ’及びｃ’’とｃ’’’点でそれぞれ内側にボックスプリーツに折り込み、ｃ、ｃ’、ｃ’’及びｃ’’’で形成される更生材の基体部１’（巾：円周の１／２であり、円周の１／４の巾の二重層からなるものである）、ｃ及びｃ’で形成される更生材１の基体部の下層部１’’（巾：円周の１／４であり、円周の１／８の巾の二重層からなるものである）、及びｃ’’及びｃ’’’で形成される更生材１の基体部の上層部１’’’（巾：上層部１’’と同一）に折り畳まれ、ｃとｃ’点及びｃ’’とｃ’’’点は加圧により切れる糸で縫い合わされせている更生材１を用いた。又ボックスプリーツ中に嵌め込んだ補強支持体２としてナイロンメッシュを用いた。
この更生材１をこの更生材１の基体部１’の円周（巾）とほぼ同一の大きさの外周を有する管路内面更生装置のゴム管又はプラスチック管の外周に装着し、曲折を有する管路内面の損傷部位に挿入し、加圧手段（ゴム管又はプラスチック管又はシリコン製管）を膨らませ押圧した。更生材１の折り込みは加圧手段による圧力で接続糸が開放又は切断され、図３に示すように管路内面に曲折部のあるものに圧着固定した。この更生材は曲折部に隙間なく密着し、更生材の割れ目や裂け目の見えない仕上がりのよいものであった。
【０００８】
【発明の効果】
本発明の更生材はボックスプリーツに折り込みがなされているので、加圧手段に取り付けられている更生材は曲折した管路内面に対応して、隙間なく密着して固着し、又内側にボックスプリーツに折り込みを有するものであるので、更生材の割れ目や裂け目が被覆されるものとなり、それらの見えない仕上がりのよいものとなる。又ボックスプリーツ中に補強支持体である合成樹脂製メッシュが嵌め込まれているため、更生材がずれることなく管路内の損傷部分に適確に該更生材を圧着でき、又強度の大きい補修が可能となった。
【０００９】
【図面の簡単な説明】
【図１】本発明の内側に折り込んだ二つのボックスプリーツを有する円筒状の管路内面更生材の斜視模式図である。
【図２】本発明の更生材のボックスプリーツ中に補強支持体を嵌め込んだ管路内面更生材の斜視模式図である。
【図３】本発明の管路内面更生材を用いて更生した曲折した管路内面の模式図である。
【図４】本発明で使用する管路内面更生装置の一つの模式図である。
【図５】従来の管路内面更生装置の模式図である。
【図６】従来の管路内面更生装置のホイルチューブの一部欠載断面図である。
【符号の説明】
１．更生材
１’．更生材基体部
１’’．更生材基体部の下層部
１’’’．更生材基体部の上層部
２．補強支持体
２’．補強支持体
３．加圧手段
４．空気注入手段
１９．管路
２１．円筒体
２２．ゴム管
２３．補修材
２４．滑走用材
２５．ゴム管緊締具
２６．円筒体前端部
２７．エアーホース
２８．牽引用環体
２９．管路
ｃ、ｃ’、ｃ’’及びｃ’’’．折り込み点
【図１】
2004034369.tif 000003
【図２】
2004034369.tif 000004
【図３】
2004034369.tif 000005
【図４】
2004034369.tif 000006
【図５】
2004034369.tif 000007
【図６】
2004034369.tif 000008